【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
少なくとも第１ユーザと第２ユーザとの間のビデオ会議のユーザ・インタフェースを提供する工程であって、前記第１ユーザは第１エンドポイントに関連付けられ、前記第２ユーザは第２エンドポイントに関連付けられている、工程と、
前記第１エンドポイントおよび前記第２エンドポイントの各々に対するビューランク値を決定する工程であって、各ビューランク値は、対応する前記エンドポイントに関連付けられている前記ユーザが発言している可能性を示しており、各ビューランク値は、対応する前記エンドポイントに関連付けられている前記ユーザの発言の持続時間、対応する前記エンドポイントで検知されるオーディオの種類、対応する前記エンドポイントに関連付けられている部屋にいる人の数、エンドポイントの種類、１つ以上の過去のビデオ会議の履歴、および、対応する前記エンドポイントに対して少なくとも１つの所定のビデオ機能が発揮されているか否か、のうちの少なくとも１つに基づく、工程と、
前記第１エンドポイントおよび前記第２エンドポイントの各々に対する前記ビューランク値に基づいて、前記ユーザ・インタフェースに、現在のプレゼンター・ポジションに第１ユーザのビデオストリームを表示させ、次位のプレゼンター・ポジションに第２ユーザのビデオストリームを表示させる工程と、
を備える方法。
【請求項２】
少なくとも第１ユーザと第２ユーザとの間のビデオ会議のユーザ・インタフェースを提供する工程であって、前記第１ユーザは第１エンドポイントに関連付けられ、前記第２ユーザは第２エンドポイントに関連付けられている、工程と、
前記第１エンドポイントおよび前記第２エンドポイントの各々に対するビューランク値を決定する工程であって、各ビューランク値は、対応する前記エンドポイントに関連付けられている前記ユーザが発言している可能性を示している、工程と、
前記第１エンドポイントおよび前記第２エンドポイントの各々に対する前記ビューランク値に基づいて、前記ユーザ・インタフェースに、現在のプレゼンター・ポジションに第１ユーザのビデオストリームを表示させ、次位のプレゼンター・ポジションに第２ユーザのビデオストリームを表示させる工程と、
を備える方法。
【請求項３】
前記ビデオ会議における前記第１エンドポイントおよび前記第２エンドポイントを、それらのビューランク値に基づいてランク付けする工程をさらに備える、請求項２に記載の方法。
【請求項４】
各ビューランク値は、対応する前記エンドポイントに関連付けられている前記ユーザの発言の持続時間に少なくとも部分的に基づく、請求項２に記載の方法。
【請求項５】
対応する前記エンドポイントに関連付けられている前記ユーザの発言の前記持続時間に基づいて前記ビューランク値を決定する工程は、
対応する前記エンドポイントに関連付けられている前記ユーザが前記ビデオ会議において発言している時間の量を決定することと、
対応する前記エンドポイントに関連付けられている前記ユーザが前記ビデオ会議において発言している前記時間の量を、発言の所定の持続時間と比較することであって、各ビューランク値は、関連付けられている前記ユーザが、前記発言の所定の持続時間と比較して、発言している前記時間の量に少なくとも部分的に基づく、請求項４に記載の方法。
【請求項６】
対応する前記エンドポイントに関連付けられている前記ユーザの発言の前記持続時間に基づいて前記ビューランク値を決定する工程は、１つ以上の過去の前記ビデオ会議における対応する前記ユーザの参加を判定することを含み、前記ビューランク値のうちの１つ以上は、１つ以上の過去の前記ビデオ会議における前記ユーザの前記参加に少なくとも部分的に基づく、請求項４に記載の方法。
【請求項７】
各ビューランク値は、対応する前記エンドポイントで検知されるオーディオの種類に少なくとも部分的に基づき、前記オーディオの種類は、人間の音声およびノイズのうちの少なくとも１つを含む、請求項２に記載の方法。
【請求項８】
各ビューランク値は、対応する前記エンドポイントに関連付けられている部屋にいる人の数に少なくとも部分的に基づく、請求項２に記載の方法。
【請求項９】
各ビューランク値は、エンドポイントの種類に少なくとも部分的に基づき、前記エンドポイントの種類は、複数ユーザのエンドポイントおよび１人ユーザのエンドポイントのうちの１つを含む、請求項２に記載の方法。
【請求項１０】
各ビューランク値は、１つ以上の過去のビデオ会議の履歴に少なくとも部分的に基づく、請求項２に記載の方法。
【請求項１１】
各ビューランク値は、少なくとも１つの所定のビデオ機能に少なくとも部分的に基づき、前記少なくとも１つの所定のビデオ機能は、
前記ビデオ会議においてオーディオが伝わらないビデオミュート機能と、
対応する前記エンドポイントでの画面ディスプレイが、前記ビデオ会議の別のエンドポイントと共有される、画面共有機能と、
のうちの少なくとも１つを含む、請求項２に記載の方法。
【請求項１２】
前記第１エンドポイントおよび前記第２エンドポイントのうちの少なくとも１つに、対応する延期バイアスを適用する工程をさらに備え、対応する前記延期バイアスの大きさは前記ビューランク値に基づき、対応する前記延期バイアスによって、前記第２ユーザのビデオストリームを前記現在のプレゼンター・ポジションに表示することが延期される、請求項２に記載の方法。
【請求項１３】
システムであって、
１つ以上のプロセッサと、
前記１つ以上のプロセッサによる実行のために１つ以上の有形な媒体に符号化されている論理と、を備え、該論理は、実行時に、
少なくとも第１ユーザと第２ユーザとの間のビデオ会議のユーザ・インタフェースを提供する工程であって、前記第１ユーザは第１エンドポイントに関連付けられ、前記第２ユーザは第２エンドポイントに関連付けられている、工程と、
前記第１エンドポイントおよび前記第２エンドポイントの各々に対するビューランク値を決定する工程であって、各ビューランク値は、対応する前記エンドポイントに関連付けられている前記ユーザが発言している可能性を示している、工程と、
前記第１エンドポイントおよび前記第２エンドポイントの各々に対する前記ビューランク値に基づいて、前記ユーザ・インタフェースに、現在のプレゼンター・ポジションに第１ユーザのビデオストリームを表示させ、次位のプレゼンター・ポジションに第２ユーザのビデオストリームを表示させる工程と、を含む動作を実行するように構成されている、システム。
【請求項１４】
各ビューランク値は、対応する前記エンドポイントに関連付けられている前記ユーザの発言の持続時間に少なくとも部分的に基づく、請求項１３に記載のシステム。
【請求項１５】
各ビューランク値は、対応する前記エンドポイントで検知されるオーディオの種類に少なくとも部分的に基づき、前記オーディオの種類は、人間の音声およびノイズのうちの少なくとも１つを含む、請求項１３に記載のシステム。
【請求項１６】
各ビューランク値は、対応する前記エンドポイントに関連付けられている部屋にいる人の数に少なくとも部分的に基づく、請求項１３に記載のシステム。
【請求項１７】
各ビューランク値は、エンドポイントの種類に少なくとも部分的に基づき、前記エンドポイントの種類は、複数ユーザのエンドポイントおよび１人ユーザのエンドポイントのうちの１つを含む、請求項１３に記載のシステム。
【請求項１８】
各ビューランク値は、１つ以上の過去のビデオ会議の履歴に少なくとも部分的に基づく、請求項１３に記載のシステム。
【請求項１９】
各ビューランク値は、少なくとも１つの所定のビデオ機能に少なくとも部分的に基づき、前記少なくとも１つの所定のビデオ機能は、
前記ビデオ会議においてオーディオが伝わらないビデオミュート機能と、
対応する前記エンドポイントでの画面ディスプレイが、前記ビデオ会議の別のエンドポイントと共有される、画面共有機能と、
のうちの少なくとも１つを含む、請求項１３に記載のシステム。